【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
医療流用者を識別する薬剤調剤システムであって、
前記薬剤調剤システムは、
物品が保管される内部と、
前記内部へのアクセスを提供するドアと、
前記ドアを閉位置にロックするように構成されたロック機構であって、前記閉位置では、前記ドアは前記内部へのアクセスを防止する、前記ロック機構と、
メモリおよびプロセッサを備えたコンピューティングデバイスと
を備え、
前記プロセッサは、
類似のジョブ実行機能を有する複数のユーザを含むユーザプールを識別する工程と、
前記複数のユーザの各々についての使用データを前記薬剤調剤システムから取り出す工程であって、前記使用データは、各ユーザがいつ前記薬剤調剤システムにアクセスするかを示す、工程と、
前記使用データを分析して、前記ユーザプール内の各ユーザについて前記薬剤調剤システムの使用期間を識別する工程と、
前記使用期間に基づいて、各ユーザのワークシフトの境界を決定する工程と、
前記使用データをワークシフトに編成する工程であって、各ワークシフトは、前記複数のユーザのうちの特定のユーザが勤務した連続した期間を定義する、工程と、
前記ユーザプールのユーザが比較され得る期間を含む比較期間を決定する工程と、
前記比較期間中の各ユーザについての流用データを識別する工程であって、前記流用データは、少なくとも１つの薬剤タイプの複数の特定の形態のうちの１つの流用に関連付けられた行動を示す、工程と、
前記比較期間中に各ユーザが勤務したワークシフト数ごとに前記流用データを平均し、前記複数のユーザの前記平均した流用データを統計学的に比較して流用スコアを計算することによって、前記少なくとも１つの薬剤タイプの前記複数の特定の形態の各々についての流用スコアを生成する工程であって、前記流用スコアは、特定のユーザが、前記少なくとも１つの薬剤タイプの前記複数の特定の形態のうちの特定の１つを流用している可能性を示す、工程と、
前記比較期間中の単一のユーザについての前記少なくとも１つの薬剤タイプの前記複数の特定の形態の各々の前記流用スコアを合算して、前記単一のユーザについてのグループスコアを生成する工程であって、前記グループスコアは、前記少なくとも１つの薬剤タイプに関連付けられている、工程と、
前記グループスコアに対して一貫性係数を決定する工程であって、前記一貫性係数は、グループ閾値を上回っているグループスコアを有する前記単一のユーザの経時的な一貫性を示す、工程と、
前記少なくとも１つの薬剤タイプの各々の前記グループスコア、各グループスコアに対する一貫性係数、および前記少なくとも１つの薬剤タイプの流用プロファイルに少なくとも部分的に基づいて総合流用スコアを生成する工程と、
任意のユーザの総合流用スコアが総合閾値を上回っているかどうかを決定する工程と、
総合流用スコアが前記総合閾値を上回っている任意のユーザに、可能性のある流用者としてフラグを立てる工程と、
フラグが立てられた何れのユーザも前記内部へのアクセスを有さないように、前記フラグが立てられたユーザを前記薬剤調剤システムからロックアウトする工程と、
が行われるように構成される、システム。
【請求項２】
前記流用データは、前記少なくとも１つの薬剤タイプの前記複数の特定の形態のうちの１つの支給が医療オーダと矛盾していた事例数、前記少なくとも１つの薬剤タイプの前記複数の特定の形態のうちの１つが退院したはずの患者に支給された事例数、および前記少なくとも１つの薬剤タイプの前記複数の特定の形態のうちの１つが多量または過剰量で支給された回数のうちの１以上を含む、請求項１に記載のシステム。
【請求項３】
前記流用データは、前記少なくとも１つの薬剤タイプの前記複数の特定の形態のうちの１つの支給に関連する、請求項１または２に記載のシステム。
【請求項４】
前記プロセッサは、
前記フラグが立てられたユーザの各々についての総合流用スコアの履歴を含む傾向チャートを生成する工程と、
前記傾向チャートの各々を遠隔デバイス上に表示させる工程と
が行われるようにさらに構成される、請求項３に記載のシステム。
【請求項５】
前記プロセッサは、
前記フラグが立てられたユーザの１人と関連付けられている入力を前記遠隔デバイスから受信する工程と、
前記フラグが立てられたユーザの前記１人に対する前記グループスコアの履歴を含むグループスコア傾向チャートを生成する工程と、
前記グループスコア傾向チャートを前記遠隔デバイス上に表示させる工程と
が行われるようにさらに構成される、請求項４に記載のシステム。
【請求項６】
前記プロセッサは、
前記薬剤調剤システムから支給された薬剤に関連する複数の医療オーダを取り出す工程と、
実際の薬剤の支給に反している前記複数の医療オーダから注文された薬剤を分析し、前記複数の医療オーダと矛盾していた薬剤の支給事例を識別する工程と
が行われるようにさらに構成される、請求項１〜５のいずれか一項に記載のシステム。
【請求項７】
各ユーザについての流用データを識別する前記工程は、前記薬剤調剤システムから調剤される特定の薬物の量を、医療文書と比較し、前記量と前記医療文書との間の矛盾を含む前記流用データを識別する工程を含む、請求項１〜６のいずれか一項に記載のシステム。
【請求項８】
前記プロセッサは、
各ユーザについての前記流用スコア、前記グループスコア、および前記総合流用スコアのうちの１以上の傾向データを生成する工程と、
前記傾向データのグラフ出力を生成する工程と
が行われるようにさらに構成される、請求項１〜７のいずれか一項に記載のシステム。
【請求項９】
前記使用データは、使用のタイムスタンプ、特定の薬物の支給記録、および前記特定の薬物の支給のキャンセル記録のうちの１以上を含む、請求項１〜８のいずれか一項に記載のシステム。
【請求項１０】
前記流用データは、流用可能性を有する薬剤および用品についてのみ識別される、請求項１〜９のいずれか一項に記載のシステム。
【請求項１１】
医療流用者を識別する方法であって、
類似のジョブ実行機能を有する複数のユーザを含むユーザプールを識別する工程と、
前記複数のユーザの各々についての使用データを薬剤調剤システムから取り出す工程であって、前記使用データは、各ユーザがいつ前記薬剤調剤システムにアクセスするかを示す、工程と、
前記使用データを分析して、前記ユーザプール内の各ユーザについて前記薬剤調剤システムの使用期間を識別する工程と、
前記使用期間に基づいて、各ユーザのワークシフトの境界を決定する工程と、
前記ユーザプールをワークシフトに編成する工程であって、各ワークシフトは、前記複数のユーザのうちの特定のユーザが勤務した連続した期間を定義する、工程と、
前記ユーザプールのユーザが比較され得る期間を含む比較期間を決定する工程と、
前記比較期間中の各ユーザについての流用データを識別する工程であって、前記流用データは、少なくとも１つの薬剤タイプの複数の特定の形態のうちの１つの流用に関連付けられた行動を示す、工程と、
前記比較期間中に前記ワークシフト内で各ユーザが勤務したワークシフト数ごとに前記流用データを平均し、前記複数のユーザの前記平均した流用データを統計学的に比較して流用スコアを計算することによって、前記少なくとも１つの薬剤タイプの前記複数の特定の形態の各々についての流用スコアを生成する工程であって、前記流用スコアは、特定のユーザが、前記少なくとも１つの薬剤タイプの前記複数の特定の形態のうちの特定の１つを流用している可能性を示す、工程と、
前記比較期間中の単一のユーザについての前記少なくとも１つの薬剤タイプの前記複数の特定の形態の各々の前記流用スコアを合算して、前記単一のユーザについてのグループスコアを生成する工程であって、前記グループスコアは、前記少なくとも１つの薬剤タイプに関連付けられている、工程と、
前記グループスコアに対して一貫性係数を決定する工程であって、前記一貫性係数は、グループ閾値を上回っているグループスコアを有する前記単一のユーザの経時的な一貫性を示す、工程と、
前記少なくとも１つの薬剤タイプの各々の前記グループスコア、各グループスコアに対する一貫性係数、および前記少なくとも１つの薬剤タイプの流用プロファイルに少なくとも部分的に基づいて総合流用スコアを生成する工程と、
任意のユーザの総合スコアが総合閾値を上回っているかどうかを決定する工程と、
流用スコアが前記総合閾値を上回っている任意のユーザに、可能性のある流用者としてフラグを立てる工程と
を備える、方法。
【請求項１２】
前記流用データは、前記少なくとも１つの薬剤タイプの前記複数の特定の形態のうちの１つの支給が医療オーダと矛盾していた事例数、前記少なくとも１つの薬剤タイプの前記複数の特定の形態のうちの１つが退院したはずの患者に支給された事例数、および前記少なくとも１つの薬剤タイプの前記複数の特定の形態のうちの１つが多量または過剰量で支給された回数のうちの１以上を含む、請求項１１に記載の方法。
【請求項１３】
前記流用データは、前記少なくとも１つの薬剤タイプの前記複数の特定の形態のうちの１つの支給に関連する、請求項１１または１２に記載の方法。
【請求項１４】
前記フラグが立てられたユーザの各々についての総合流用スコアの履歴を含む傾向チャートを生成する工程と、
前記傾向チャートの各々を遠隔デバイス上に表示させる工程と
をさらに備える、請求項１３に記載の方法。
【請求項１５】
前記フラグが立てられたユーザの１人と関連付けられている入力を前記遠隔デバイスから受信する工程と、
前記フラグが立てられたユーザの前記１人に対する前記グループスコアの履歴を含むグループスコア傾向チャートを生成する工程と、
前記グループスコア傾向チャートを前記遠隔デバイス上に表示させる工程と
をさらに備える、請求項１４に記載の方法。
【請求項１６】
前記薬剤調剤システムから支給された薬剤に関連する複数の医療オーダを取り出す工程と、
実際の薬剤の支給に反している前記複数の医療オーダから注文された薬剤を分析し、前記複数の医療オーダと矛盾していた薬剤の支給事例を識別する工程と
をさらに備える、請求項１１〜１５のいずれか一項に記載の方法。
【請求項１７】
各ユーザについての流用データを識別する前記工程は、前記薬剤調剤システムから調剤される特定の薬物の量を、医療文書と比較し、前記量と前記医療文書との間の矛盾を含む前記流用データを識別する工程を含む、請求項１１〜１６のいずれか一項に記載の方法。
【請求項１８】
各ユーザについての前記流用スコア、前記グループスコア、および前記総合流用スコアのうちの１以上の傾向データを生成する工程と、
前記傾向データのグラフ出力を生成する工程と
をさらに備える、請求項１１〜１７のいずれか一項に記載の方法。
【請求項１９】
前記使用データは、使用のタイムスタンプ、特定の薬物の支給記録、および前記特定の薬物の支給のキャンセル記録のうちの１以上を含む、請求項１１〜１８のいずれか一項に記載の方法。
【請求項２０】
任意のユーザにフラグを立てる前記工程は、前記薬剤調剤システムをトリガして、フラグが立てられた各ユーザによる前記薬剤調剤システムへのアクセスをロックする工程を含む、請求項１１〜１９のいずれか一項に記載の方法。